(57)【特許請求の範囲】
【請求項１】
鉢ユニットを含み、前記鉢ユニットは、凹んでいる収容区域を有する内鉢と、前記内鉢を支持する外鉢と、前記内鉢と前記外鉢の間に形成されている空間セクションと、前記収容区域と前記空間セクションを連通する浸水孔と、から構成され、
前記内鉢と前記外鉢の接触箇所では、水止め具が設けられており、これにより、前記空間セクションは、中空状を呈し、密封状態となり、前記空間セクションに位置する浸水孔の内部には、引水ユニットが組み付けられており、
チューブの内部には、中空状を呈する通路が形成されており、前記通路のエア進入端は、前記鉢ユニットの前記空間セクションの外部と連通しており、前記通路の排気端は、前記鉢ユニットの前記空間セクションの内部と連通しており、
前記引水ユニットの内部には、微小なマイクロ通路が若干形成されており、
これにより、植物の地下茎又は根が前記浸水具の内部に容易に延びることができず、前記引水ユニットの引水効果を確保することが可能であり、水中のゴミを水ろ過具によってろ過した後、ろ過された水が上へ案内されて土壌に滲入し、鉢植えの栽培環境を浄化することが可能であり、
前記引水ユニットは、硬質な浸水具と、軟質な水ろ過具と、を含み、前記浸水具と前記水ろ過具との内部に微小なマイクロ通路が形成されており、前記浸水具は、前記水ろ過具に隣接するように前記水ろ過具の上面に組み付けられていることを特徴とする鉢植え用引水制御構造。
【請求項２】
前記浸水具は銅粒子を焼結して形成され、そして前記浸水具は、前記浸水孔と一体に覆われて射出成形され、又は前記浸水孔の内部に締まり嵌められていることを特徴とする、請求項１に記載の鉢植え用引水制御構造。
【請求項３】
前記チューブの前記排気端に抵抗具が組み付けられており、前記抵抗具は、表面又は内部にマイクロ通路が複数設けられており、前記マイクロ通路の一端は前記空間セクションと連通することを特徴とする、請求項１又は２に記載の鉢植え用引水制御構造。
【請求項４】
前記抵抗具は、銅粒子を焼結して形成され、その少なくとも両端は、異なる密度を有するマイクロ案内通路であることを特徴とする、請求項３に記載の鉢植え用引水制御構造。
【請求項５】
前記抵抗具の外側に樹脂スリーブが組み付けられており、前記樹脂スリーブが組み付けられた前記抵抗具は、前記チューブの前記排気端に組み付けられており、これにより、前記抵抗具を交換しているときには、前記排気端の内面が前記抵抗具に傷付けられることを回避可能であることを特徴とする、請求項４に記載の鉢植え用引水制御構造。
【請求項６】
前記チューブの前記エア進入端にプラグが組み付けられており、前記プラグは、ベース部と、前記ベース部のエッジに一体に設けられており、前記チューブの前記エア進入端を囲んでいる環状囲み部と、前記チューブの前記エア進入端を塞ぎ可能な塞ぎ部と、を含み、前記プラグと前記チューブの前記エア進入端の間にガイド部が形成されていることを特徴とする、請求項５に記載の鉢植え用引水制御構造。
【請求項７】
前記プラグに定位部が設けられており、前記定位部と前記環状囲み部は異なる側に位置することを特徴とする、請求項６に記載の鉢植え用引水制御構造。
【請求項８】
前記プラグに定位部が設けられており、前記定位部と前記環状囲み部は同じ側に位置することを特徴とする、請求項６に記載の鉢植え用引水制御構造。
【発明の詳細な説明】
【技術分野】
【０００１】
本発明は、鉢植え用引水制御構造に関するものである。
【背景技術】
【０００２】
従来の花や木を植える鉢は、その材質がセラミック又は樹脂を採用し、単層の構造を採用し、その底面とその周壁とから収容空間が構成され、前記収容空間の底面に排水穴が設けられており、前記排水穴が前記収容空間と連通する。
【０００３】
鉢に土壌を充填して植物を植えるときには、鉢の下方に、直径が鉢の底部の直径よりも大きく過剰な水を受ける円盤を設けることが一般的である。このように、植物に散水した後に、過剰な水は、一部の土壌や砂と混じって、前記排水穴を経由して前記円盤に排出される。
【０００４】
各種類の植物の必要な土壌湿度が異なるため、毎日過度に散水すると、ある植物は、根部が腐れて死亡する可能性がある。
【０００５】
一部の土壌や砂と混じって排出される過剰な水が前記排水穴を経由して前記円盤に排出されると、前記円盤に一定の水と土壌や砂が滞在するため、夏時期には、細菌や蚊などが生じて、鉢植えの周囲の環境が汚くなる。
【発明の開示】
【発明が解決しようとする課題】
【０００６】
本発明の主な目的は、汚れられた水が鉢の外部に排出されず、鉢の内部にある土壌の湿度を有効に制御することが可能であり、土壌に滲入する水の浸水浸透率を有効に制御することが可能な鉢植え用引水制御構造を提供することにある。
【０００７】
本発明の次の目的は、鉢植えの周囲の環境を清潔にすることが可能であり、細菌や蚊などが生じない鉢植え用引水制御構造を提供することにある。
【０００８】
本発明の別の目的は、水ろ過具が脱着可能であるため、汚れられた水ろ過具を洗浄してもう一度利用することが可能であり、地球環境に優しい鉢植え用引水制御構造を提供することにある。
【０００９】
本発明の更に別の目的は、極めて少量の水を必要とする植物を植えることが可能であり、そして鉢ユニットは二つ以上の浸水浸透率を有するため、湿度を二つ以上に変更することが可能であり、栽培可能な植物の種類を増加することが可能な鉢植え用引水制御構造を提供することにある。
【課題を解決するための手段】
【００１０】
本発明の鉢植え用引水制御構造によると、鉢ユニットを含み、鉢ユニットは、凹んでいる収容区域を有する内鉢と、内鉢を支持する外鉢と、内鉢と外鉢の間に形成されている空間セクションと、収容区域と空間セクションを連通する浸水孔と、から構成され、
内鉢と外鉢の接触箇所では、水止め具が設けられており、これにより、空間セクションは、中空状を呈し、密封状態となり、空間セクションに位置する浸水孔の内部には、引水ユニットが組み付けられており、
チューブの内部には、中空状を呈する通路が形成されており、通路のエア進入端は、鉢ユニットの空間セクションの外部と連通しており、通路の排気端は、鉢ユニットの空間セクションの内部と連通しており、
引水ユニットの内部には、微小なマイクロ通路が若干形成されており、
これにより、植物の地下茎と根が浸水具の内部に容易に延びることができず、引水ユニットの引水効果を確保することが可能であり、水中のゴミを水ろ過具によってろ過した後、ろ過された水が上へ案内されて土壌に滲入し、鉢植えの栽培環境を浄化することが可能であることを特徴とする。
【００１１】
本発明の鉢植え用引水制御構造によると、引水ユニットは、硬質な浸水具と、軟質な水ろ過具と、を含み、浸水具と水ろ過具との内部に微小なマイクロ通路が形成されており、浸水具は、水ろ過具に隣接するように水ろ過具の上面に組み付けられていることを特徴とする。
【００１２】
本発明の鉢植え用引水制御構造によると、浸水具は銅粒子を焼結して形成され、そして浸水具は、一体に射出成形されて浸水孔を覆っており、又は浸水孔の内部に締まり嵌められていることを特徴とする。
【００１３】
本発明の鉢植え用引水制御構造によると、チューブの排気端に抵抗具が組み付けられており、抵抗具は、通気子の表面又は内部にマイクロ通路が複数設けられており、マイクロ通路の一端は空間セクションと連通することを特徴とする。
【００１４】
本発明の鉢植え用引水制御構造によると、抵抗具は、銅粒子を焼結して形成され、その少なくとも両端は、異なる密度を有するマイクロ案内通路であることを特徴とする。
【００１５】
本発明の鉢植え用引水制御構造によると、抵抗具の外側に樹脂スリーブが組み付けられており、樹脂スリーブが組み付けられた抵抗具は、チューブの排気端に組み付けられており、これにより、抵抗具を交換しているときには、排気端の内面が抵抗具に傷付けられる（すなわち、その内径が大きくなり）ことを回避可能であることを特徴とする。
【００１６】
本発明の鉢植え用引水制御構造によると、チューブのエア進入端にプラグが組み付けられており、プラグは、ベース部と、ベース部のエッジに一体に設けられており、チューブのエア進入端を囲んでいる環状囲み部と、チューブのエア進入端を塞ぎ可能な塞ぎ部と、を含み、プラグとチューブのエア進入端の間にガイド部が形成されていることを特徴とする。
【００１７】
本発明の鉢植え用引水制御構造によると、プラグに定位部が設けられており、定位部と環状囲み部は異なる側に位置することを特徴とする。
【００１８】
本発明の鉢植え用引水制御構造によると、プラグに定位部が設けられており、定位部と環状囲み部は同じ側に位置することを特徴とする。
【００１９】
本発明の鉢植え用引水制御構造によると、内鉢と外鉢には、螺旋部がそれぞれ設けられており、螺合方式により、内鉢と外鉢は結合して一体となることを特徴とする。
【発明の効果】
【００２０】
本発明の鉢植え用引水制御構造によれば、次のような効果がある。
（１）植物の地下茎と根が浸水具の内部に容易に延びることができず、引水ユニットの引水効果を確保することが可能であり、水中のゴミを水ろ過具によってろ過した後、ろ過された水が上へ案内されて土壌に滲入し、鉢植えの栽培環境を浄化することが可能である。
【００２１】
（２）汚れられた水が鉢の外部に排出されず、鉢の内部にある土壌の湿度を有効に制御することが可能であり、土壌に滲入する水の浸水浸透率を有効に制御することが可能である。
【００２２】
（３）鉢植えの周囲の環境を清潔に保持することが可能であり、細菌や蚊などが生じない。
【００２３】
（４）水ろ過具が脱着可能であるため、汚れられた水ろ過具を洗浄してもう一度利用することが可能であり、地球環境に優しい。
【００２４】
（５）極めて少量の水を必要とする植物を植えることが可能であり、そして鉢ユニットは二つ以上の浸水浸透率を有するため、湿度を二つ以上に変更することが可能であり、栽培可能な植物の種類を増加することが可能である。
【図面の簡単な説明】
【００２５】
【図１】本発明の一実施例の組合済み状態を示す断面図である。
【図２】図１の一部を示す拡大断面図１である。
【図３】図１の一部を示す拡大断面図２である。
【図４】図１の一部を示す拡大断面図３である。
【図５】図１における抵抗具を示す拡大断面図である。
【図６】図３におけるプラグを逆方向で組み付けられている状態を示す拡大断面図である。
【発明を実施するための形態】
【００２６】
以下、本発明の実施の形態を図面に基づいて説明する。
図１から図６を参照すると、図１は本発明の一実施例の組合済み状態を示す断面図であり、図２は図１の一部を示す拡大断面図１であり、図３は図１の一部を示す拡大断面図２であり、図４は図１の一部を示す拡大断面図３であり、図５は図１における抵抗具を示す拡大断面図であり、図６は図３におけるプラグを逆方向で組み付けられている状態を示す拡大断面図である。本発明の鉢植え用引水制御構造は、鉢ユニット１を含む。鉢ユニット１は、凹んでいる収容区域１３を有する内鉢１０と、内鉢１０を支持する外鉢１１と、内鉢１０と外鉢１１の間に形成されている空間セクション１２と、収容区域１３と空間セクション１２を連通する浸水孔１４と、から構成される。内鉢１０と外鉢１１には、ねじを設けた螺旋部１０１、１１１がそれぞれ設けられている。内鉢１０と外鉢１１の接触箇所では、水止め具７が設けられている。このように、空間セクション１２は、中空状を呈し、密封状態となる。浸水孔１４に引水ユニット６が組み付けられている。
【００２７】
チューブ２の内部には、中空状を呈する通路２０が形成されている。通路２０のエア進入端２０１は、鉢ユニット１の空間セクション１２の外部と連通している。通路２０の排気端２０２は、鉢ユニット１の空間セクション１２の内部と連通している。エア進入端２０１にプラグ３が組み付けられている。排気端２０２に抵抗具５が組み付けられている。
【００２８】
プラグ３は、ベース部３０と、ベース部３０のエッジに一体に設けられており、チューブ２のエア進入端２０１を囲んでいる環状囲み部３１と、ベース部３０から下方に延びてチューブ２のエア進入端２０１に挿入する定位部３２と、チューブ２のエア進入端２０１を緊密に塞ぎ可能な塞ぎ部３４と、を含む。図３に示すように、定位部３２と環状囲み部３１はベース部３０の同じ側に位置し、且つ環状囲み部３１と塞ぎ部３４はベース部３０の異なる側に位置する。塞ぎ部３４の最大直径又は寸法は、チューブ２の通路２０又はエア進入端２０１の最大直径又は寸法よりも大きいことが必要である。このように、塞ぎ部３４は、図６に示すように、通路２０又はエア進入端２０１に緊密に組み付けられている。すなわち、締まり嵌めである。外部のエアが気流通路Ａを経由して空間セクション１２に再度に流入することを防止可能である。
【００２９】
ガイド部４は、プラグ３とチューブ２のエア進入端２０１の間の付近に設けられており、且つ、ガイド部４の入り口の底縁は環状囲み部３１の底端のエッジよりも高いため、土壌８における粒子又は空気における粉塵は気流通路Ａから流入して通路２０を塞ぐことはなく、外部のエアが中小流量でチューブ２を経由して空間セクション１２に流入する。これは、すなわち、エアを補充するためである。これにより、空間セクション１２内の水は、中小流量だけで土壌８に滲入する。このように、土壌８の湿度が中小程度であり、そして防塵効果を有し、土壌８における粒子がチューブ２の通路２０を塞ぐことはなく、ひいては土壌８の湿度を中小程度に制御することが可能である。ガイド部４は、チューブの通路２０のエア進入端２０１、プラグ３のベース部３０、プラグ３の環状囲み部３１、プラグ３の定位部３２（図３参照）、プラグ３のベース部３０及び定位部３２、又はプラグ３のベース部３０と環状囲み部３１と定位部３２に設けられている。ガイド部４は、溝、穴、リブ、又は突起などである。
【００３０】
抵抗具５は、図４に示す通り、チューブ２の排気端２０２に組み付けられており、例えばセラミックなどの通気可能な素材を採用する。すなわち、抵抗具５の表面又は内部には、マイクロ案内通路５１が複数形成されている。マイクロ案内通路５１の一端は空間セクション１２と連通する。マイクロ案内通路５１は、抵抗具５における凹み、又は隣接する複数の粒子５０、５０´（例えば隣接する複数の銅粒子を焼結して形成され）の間にあり密度の異なる隙間を連通して形成される。このように、抵抗具５のマイクロ案内通路５１により、空間セクション１２の外部のエアは、ガイド部４とチューブ２を経由しているときに制限され、抵抗具５のマイクロ案内通路５１を通過して空間セクション１２に順調に流入できるエアの量が少なくなる。これにより、補充のエアの流速及び流量を有効に制御することが可能である。抵抗具５は、同じ材質で同じ粒径を有する粒子５０、５０´から構成され（図５のＡ）、異なる材質で同じ粒径を有する粒子５０、５０´から構成され（図５のＢ）、又は粒子を焼結して形成され少なくとも二つの密度を有する（すなわち、マイクロ案内通路５１、例えば、図５のＣ、図５のＤ）。抵抗具５とチューブ２の組付け方式は、嵌合方式、螺合方式、又は係合方式を採用することが好ましい。抵抗具５の外側に樹脂スリーブ（図示せず）が組み付けられている。前記樹脂スリーブが組み付けられた抵抗具５は、チューブ２の排気端２０２に組み付けられている。このように、抵抗具５を交換しているときには、排気端２０２の内面が抵抗具５に傷付けられる（すなわち、その内径が大きくなる）ことを回避可能である。
【００３１】
引水ユニット６は、図２に示す通り、浸水具６０と、水ろ過具６１と、を含む。浸水具６０と水ろ過具６１の内部には、微小なマイクロ通路６０１、６１１が若干に形成されている。浸水具６０の硬さは水ろ過具６１の硬さよりも高く、且つ浸水具６０が浸水孔１４に一体に覆われて成形していることが好ましい。浸水具６０の上面は土壌８に接触している。浸水具６０の底面は水ろ過具６１の上面に当接している。水ろ過具６１の下面は空間セクション１２に延びている。このように、水ろ過具６１のマイクロ通路６１１により、水を上方に流すことが可能であり、水中のゴミをろ過することが可能であると共に、水ろ過具６１を取外して洗浄して、もう一度利用することが可能である。浸水具６０は、粒子を焼結して形成され、又は粒子を粘着して形成され、金属、セラミック、又は石などの腐敗しない材料を採用することが好ましい。
【００３２】
より大量の水を必要とする植物９を栽培する場合には、図２に示すように、浸水孔１４に引水ユニット６を組付けて、内鉢１０の収容区域１３に土壌８を入れて、土壌８に植物９を植える。このとき、外鉢１１に水を入れて、螺合方式により、内鉢１０と外鉢１１の接触面に水止め具７が挟まれて、内鉢１０と外鉢１１を結合し、水が内鉢１０と外鉢１１の間に形成される空間セクション１２を充満する。ここで、引水ユニット６の内部にある若干のマイクロ通路６０１、６１１と乾燥な土壌８とによる毛細管現象により、空間セクション１２の内部にある水は、水ろ過具６１によってろ過されて、マイクロ通路６０１、６１１を経由して土壌８に滲入する。これにより、空間セクション１２内の気圧は大気圧よりも低くなるため、空間セクション１２の外部のエアは、チューブ２に吸引されて、空間セクション１２に迅速に流入する。このとき、空間セクション１２の内部にある水は、大流量で、又は、迅速に土壌８に滲入することが可能である。このように、土壌８の含水量は、空間セクション１２内の水圧とバランスを取る。換言すると、土壌８の湿度は、浸水具６０を中心として、浸水具６０との距離が長いほど、湿度が低い。これにより、より大量の水を必要とする植物９を栽培することが可能である。
【００３３】
中小量の水を必要とする植物９を栽培する場合には、チューブ２のエア進入端２０１にプラグ３が組み付けられており、図３に示すように、プラグ３とチューブ２のエア進入端２０１の間にガイド部４が形成されており、ガイド部４の断面積はエア進入端２０１の断面積よりも小さく、且つ、ガイド部４の入り口の底縁はプラグ３の環状囲み部３１の底端のエッジよりも高いため、外部のエアは、ガイド部４に制限されて、チューブ２に流入する流量及び流速が降下し、空気における粉塵が気流通路Ａから流入して通路２０を塞ぐことはない。このように、外部のエアは、中小流量でチューブ２を経由して空間セクション１２に流入し、ひいては空間セクション１２内の水は、中小流量（流速）で土壌８に滲入することが可能である。これにより、中小量の水を必要とする植物９を栽培することが可能である。
【００３４】
小量の水を必要とする植物９を栽培する場合には、図４に示すように、チューブ２の排気端２０２に抵抗具５が別に組み付けられている。抵抗具５の内部には、複数のマイクロ案内通路５１（すなわち、粒子を焼結して形成され少なくとも二つの密度を有するマイクロ案内通路５１であり、例えば図５のＣ、図５のＤ参照）が設けられている。マイクロ案内通路５１の一端は空間セクション１２と連通する。このため、外部のエアは、ガイド部４に制限されて、中小流量でチューブ２に流入し、そしてチューブ２内のエアは、抵抗具５のマイクロ案内通路５１に制限されて、小流量で空間セクション１２に流入する。このように、空間セクション１２内の水は、小流量及び低流速で土壌８に滲入することが可能である。これにより、小量の水を必要とする植物９を栽培することが可能である。
【００３５】
極めて小量の水を必要とする植物９を栽培する場合には、チューブ２のエア進入端２０１にプラグ３が組み付けられており、図６に示すように、プラグ３の塞ぎ部３４がエア進入端２０１に組み付けられている。すなわち、締まり嵌めである。このように、外部のエアは気流通路Ａから空間セクション１２に進入することができなくなる。このとき、外部のエアは、土壌８と引水ユニット６のマイクロ通路６０１、６１１とを経由して、極めて遅い流速と極めて少ない水量で空間セクション１２に浸入することが可能である。ひいては空間セクション１２内の水は、極めて遅い流速と極めて少ない水量で土壌８に滲入することが可能である。これにより、極めて小量の水を必要とする植物９（例えばサボテンや砂漠ローズなど）を栽培することが可能である。
【００３６】
長期間に栽培すると、植物９の地下茎又は根９０は、水に向かって伸びる特性を有するため、湿度のより高い土壌８へ延びることが一般的である。そして地下茎又は根９０は、その寸法が硬質な浸水具６０のマイクロ通路６０１の寸法よりも大きいため、マイクロ通路６０１に伸び込んで塞ぐ（又は、マイクロ通路６０１に伸び込んでマイクロ通路６０１の直径を拡大する）ことはない。換言すると、空間セクション１２内の水は、異なる位置にあるマイクロ通路６０１によって形成される経路を経由して、案内されて土壌８に直接に浸入し、そして水中のゴミが軟質な水ろ過具６１によってろ過されて、ろ過された水が上に案内されて土壌８に浸入するため、栽培環境を清潔に保持することが可能であるため、水の上方への浸透率を有効で安定的に制御することが可能であると共に、水ろ過具６１が脱着可能であるため、汚れられた水ろ過具６１を洗浄してもう一度利用することが可能であり、地球環境に優しい。
【００３７】
一方、本発明の鉢植え用引水制御構造によれば、過剰な水は、内鉢１０と外鉢１１の間にある空間セクション１２内に貯蔵され、外鉢１１の外部に溢れることがないため、鉢植えの周囲の環境を清潔に保持することが可能であり、細菌や蚊などが生じない。
【００３８】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【産業上の利用可能性】
【００３９】
本発明は、鉢植えに適用することができる。
【符号の説明】
【００４０】
１  鉢ユニット
２  チューブ
３  プラグ
４  ガイド部
５  抵抗具
６  引水ユニット
７  水止め具
８  土壌
９  植物
１０  裏鉢
１１  外鉢
１２  空間セクション
１３  収容区域
１４  浸水孔
２０  通路
３０  ベース部
３１  環状囲み部
３２  定位部
３４  塞ぎ部
５０  粒子
５０´  粒子
５１  マイクロ案内通路
６０  浸水具
６１  水ろ過具
９０  根
１０１  螺旋部
１１１  螺旋部
２０１  エア進入端
６０１  マイクロ通路
６１１  マイクロ通路
Ａ  気流通路
【図１】
0005873069.tif 000002
【図２】
0005873069.tif 000003
【図３】
0005873069.tif 000004
【図４】
0005873069.tif 000005
【図５】
0005873069.tif 000006
【図６】
0005873069.tif 000007